(57)【要約】【課題】面木の施工時間を短くすることができる電気防食用電極の設置方法を提供する。【解決手段】コンクリートをはつるはつり工程と、電気防食用電極の設置のための凹部を形成する面木を保持する面木保持部材を、はつりエリアの周囲の未はつりエリアの表面に取り付けることで面木をはつりエリア内に設置するか、又ははつりエリアの一部が修復されて未はつりエリアの表面と面一とされた仕上げ面に取り付けることで、面木を未修復のはつりエリア内に設置する面木設置工程と、はつりエリア内又は未修復のはつりエリア内に面木が没するようにモルタルを吹き付ける吹き付け工程と、硬化後のモルタルから面木を取り外すことでモルタルに形成される凹部５に電気防食用電極を設置する設置工程と、を備えている。【選択図】図６
2018123352.tif 000002
【特許請求の範囲】
【請求項１】
コンクリートをはつるはつり工程と、電気防食用電極の設置のための凹部を形成する面木を保持する面木保持部材を、はつりエリアの周囲の未はつりエリアの表面に取り付けることで面木をはつりエリア内に設置するか、又ははつりエリアの一部が修復されて未はつりエリアの表面と面一とされた仕上げ面に取り付けることで、面木を未修復のはつりエリア内に設置する面木設置工程と、前記はつりエリア内又は未修復のはつりエリア内に面木が没するようにモルタルを吹き付ける吹き付け工程と、硬化後のモルタルから面木を取り外すことでモルタルに形成される凹部に電気防食用電極を設置する設置工程と、
を備えていることを特徴とする電気防食用電極の設置方法。
【請求項２】
前記吹き付け工程で吹き付けたモルタルの前記未はつりエリアの表面と面一となる天端面に前記電気防食用電極を設置する凹部が形成されるように、前記面木が前記面木保持部材に保持されることを特徴とする請求項１に記載の電気防食用電極の設置方法。
【請求項３】
前記面木保持部材は、前記面木とは別部材から構成され、かつ、前記未はつりエリアの表面に取り付けた取付状態で前記はつりエリア内の方を向いた内面を備え、前記面木は、前記面木保持部材の内面に取り付けられることを特徴とする請求項１又は２に記載の電気防食用電極の設置方法。
【発明の詳細な説明】
【技術分野】
【０００１】
本発明は、鉄筋コンクリート構造物に、鉄筋の腐食を防止するための電気防食用電極を設置する設置方法に関する。
【背景技術】
【０００２】
上記鉄筋コンクリート構造物は、設置場所によっては、塩害等により埋設されている鉄筋とともに表面側のコンクリートも劣化する。そうなると、鉄筋コンクリート構造物の表面側の修復（以下、「断面修復」と称する）が必要になる。断面修復の際には、鉄筋の腐食を防止するための電気防食用電極（電気防食用帯状陽極）を設置することがある。
【０００３】
上記電気防食用電極の設置は、次のようにして行われる。すなわち、鉄筋コンクリート構造物の表面の修復が必要な部分を、はつり取って腐食した鉄筋を露出させ、露出させた腐食した鉄筋の錆取り作業（ケレン）を行う。錆取り作業終了後、コンクリートのはつり面に杆状部材を立設し、コンクリートのはつり面から立設した杆状部材の設定位置用目印の高さ位置まで第一モルタルを吹き付ける。吹き付けた第一モルタルが硬化した後、電気防食用電極の設置のための凹部の型となる面木を硬化した第一モルタルに保持させてから、面木が没するよう第二モルタルを第一モルタルに重ねて吹き付ける。吹き付けた第二モルタルが硬化した後、面木を第二モルタルから取り外すことで第二モルタルに凹部が形成され、その凹部に電気防食用電極を設置する（例えば特許文献１参照）。
【先行技術文献】
【特許文献】
【０００４】
【特許文献１】特開２０１６−１４１８６６号公報
【発明の概要】
【発明が解決しようとする課題】
【０００５】
上記特許文献１の構成では、面木を保持させる前に、吹き付けた第一モルタルが硬化するまで待つ必要がある。このため、面木を施工するための施工時間が長くなるという不都合があった。
【０００６】
本発明は前述の状況に鑑み、解決しようとするところは、面木の施工時間を短くすることができる電気防食用電極の設置方法を提供するものである。
【課題を解決するための手段】
【０００７】
本発明の電気防食用電極の設置方法は、前述の課題解決のために、コンクリートをはつるはつり工程と、電気防食用電極の設置のための凹部を形成する面木を保持する面木保持部材を、はつりエリアの周囲の未はつりエリアの表面に取り付けることで面木をはつりエリア内に設置するか、又ははつりエリアの一部が修復されて未はつりエリアの表面と面一とされた仕上げ面に取り付けることで、面木を未修復のはつりエリア内に設置する面木設置工程と、前記はつりエリア内又は未修復のはつりエリア内に面木が没するようにモルタルを吹き付ける吹き付け工程と、硬化後のモルタルから面木を取り外すことでモルタルに形成される凹部に電気防食用電極を設置する設置工程と、を備えていることを特徴とする。
【０００８】
本発明によれば、コンクリートをはつってから、面木を保持する面木保持部材をはつりエリアの周囲の未はつりエリアの表面に取り付けることで面木をはつりエリア内に設置する。また、コンクリートをはつってから、面木を保持する面木保持部材をはつりエリアの一部が修復されて未はつりエリアの表面と面一とされた仕上げ面に取り付けることで面木を未修復のはつりエリア内に設置する。この設置状態から、はつりエリア内又は未修復のはつりエリア内に面木が没するようにモルタルを吹き付けることによって、作業を中断することなく連続して行うことができる。吹き付けたモルタルが硬化した後に、面木をモルタルから取り外すことでモルタルに凹部が形成され、その凹部に電気防食用電極を設置する。
【０００９】
又、本発明の電気防食用電極の設置方法は、前記吹き付け工程で吹き付けたモルタルの前記未はつりエリアの表面と面一となる天端面に前記電気防食用電極を設置する凹部が形成されるように、前記面木が前記面木保持部材に保持されていてもよい。
【００１０】
上記のように、吹き付け工程で吹き付けたモルタルの未はつりエリアの表面と面一となる天端面に電気防食用電極を設置する凹部が形成されるように、面木が面木保持部材に保持されていれば、面木保持部材を未はつりエリアの表面に取り付けるだけで、モルタルの未はつりエリアの表面と面一となる天端面に電気防食用電極を設置する凹部が形成されるので、面木の位置合わせが不要になり、作業が迅速に行える。
【００１１】
又、本発明の電気防食用電極の設置方法は、前記面木保持部材は、前記面木とは別部材から構成され、かつ、前記未はつりエリアの表面に取り付けた取付状態で前記はつりエリア内の方を向いた内面を備え、前記面木は、前記面木保持部材の内面に取り付けられていてもよい。
【００１２】
上記のように、面木保持部材に未はつりエリアの表面に取り付けた取付状態ではつりエリア内の方を向いた内面を備えていれば、モルタルの吹き付け完了時のガイドとして内面を利用することができ、モルタルの吹き付け作業を良好に行うことができる。
【発明の効果】
【００１３】
本発明によれば、面木を保持する面木保持部材をはつりエリアの周囲の未はつりエリアの表面に取り付けることで面木をはつりエリア内に設置することができるので、吹き付けて硬化したモルタルに面木を取り付ける場合に比べて、面木の施工時間を短くすることができる電気防食用電極の設置方法を提供することができる。
【図面の簡単な説明】
【００１４】
【図１】鉄筋の一部が露出するようにコンクリート構造物をはつった状態を示す斜視図である。
【図２】鉄筋の錆を除去した後に鉄筋を覆うようにモルタルを一旦吹き付けてから、面木保持部材を未はつりエリアに取り付けた状態を示し、（ａ）は断面図、（ｂ）は正面図である。
【図３】図２で取り付けた面木保持部材に面木を取り付けた状態を示し、（ａ）は断面図、（ｂ）は正面図である。
【図４】図３の取付状態でモルタルを面木保持部材の内面まで吹き付けた状態を示し、（ａ）は断面図、（ｂ）は正面図である。
【図５】図４の吹き付け完了状態で面木保持部材を取り外した状態を示し、（ａ）は断面図、（ｂ）は正面図である。
【図６】図５の面木を取り外した状態を示し、（ａ）は断面図、（ｂ）は正面図である。
【図７】（ａ），（ｂ），（ｃ），（ｄ）は、他の４つの面木保持部材の形態を示す正面図である。
【図８】他の形態の電気防食用電極の設置方法を示し、（ａ）は縦断正面図、（ｂ）は図８（ａ）を左から見た側面図である。
【図９】他の形態の電気防食用電極の設置方法を示す縦断正面図であり、（ａ）は両横側から両側壁部に対応するはつり面に第一モルタルを吹き付けた状態を示し、（ｂ）は図９（ａ）の第一モルタルの上から第二モルタルを吹き付けて両側壁部を断面修復した状態を示している。
【図１０】（ａ）は図９（ｂ）の状態から底壁部に対応するはつり面に第一モルタルを吹き付ける直前の状態を示す縦断正面図、（ｂ）は図１０（ａ）の状態から第一モルタルを吹き付けた状態を示す縦断正面図である。
【図１１】（ａ）は図１０（ｂ）の第一モルタルの上から第二モルタルを吹き付けて底壁部を断面修復した状態を示す縦断正面図、（ｂ）は図１１（ａ）の面木保持部材を取り外した状態を示す縦断正面図である。
【発明を実施するための形態】
【００１５】
以下、本発明の一実施形態に係る電気防食用電極（電気防食用帯状陽極）の設置方法（以下、単に「電極設置方法」と称する）を、図面を参照しつつ説明する。この電極設置方法では、既設の鉄筋コンクリート構造物Ａの鉄筋Ｒ、及びその外側の表面コンクリート部Ｃを断面修復する際に、併せて電気防食用電極（図示せず、以下「電極」と称する）を設置するようにしている。
【００１６】
本実施形態に係る電極設置方法は、次の（１）〜（６）の工程を備える。すなわち、（１）はつり工程、（２）第一打設工程、（３）面木設置工程、（４）第二打設工程、（５）面木取り外し工程、（６）電極設置工程を備える電極設置方法である。これら（１）〜（６）の工程を行うことで、断面修復と電極の設置とが行われる。次に、各工程について説明する。
【００１７】
（１）はつり工程は、塩害等により腐食した表面コンクリート部Ｃをはつることで、鉄筋コンクリート構造物Ａの表面側の腐食し膨張した鉄筋によって浮きやひび割れを生じた鉄筋Ｒを露出させる工程である。図１では、鉄筋コンクリート構造物Ａの一部の表面コンクリート部Ｃを矩形状（横に長い長方形状）にはつった場合を示している。尚 、はつり面Ｈは、図１に示すように凹凸状になっている。鉄筋Ｒは、縦方向に延びるとともに横方向に間隔を置いて配置された多数本の鉄筋と、横方向に延びる上下２本の鉄筋と、を図１では示しているが、これに限らない。
【００１８】
また、（１）はつり工程では、表面側の鉄筋Ｒが露出するまで表面コンクリート部Ｃをはつることで、はつり面Ｈを形成する。また、（１）はつり工程は、露出させた鉄筋Ｒの錆を除去する（ケレンする）、錆除去作業や鉄筋の補強を含むものとする。錆の除去は、ワイヤーブラシや電動サンダー等を用いて行われる。
【００１９】
（２）第一打設工程は、鉄筋Ｒを覆うように図１に示すはつり面Ｈに対し、第一モルタルＭ１を吹き付ける工程である。図２に、第一モルタルＭ１を吹き付けた後の状態を示している。第一モルタルＭ１は吹付ノズルからの吹き付けによって行われる。吹き付けるモルタルとしては、乾式モルタル、湿式モルタルの何れでもよいが、本実施形態では、乾式モルタルが用いられる。この乾式モルタルによる吹き付けは、鉄筋Ｒを覆うことが目的であり、吹き付けた後のモルタルの表面が必ずしもフラットになっている必要がなく、例えば部分的に表面の高さが異なるようにモルタルを吹き付けても構わない。
【００２０】
（３）面木設置工程は、まず面木１を保持する複数（ここでは３本）の面木保持部材２をはつりエリアＤの周囲の未はつりエリアＥの表面（ここでは、上側の表面Ｅ１と下側の表面Ｅ１）にコンクリートねじ３を用いて取り付ける（図２（ａ），（ｂ）参照）。この後、３本の面木保持部材２，２，２に水平方向で亘る長さの複数（ここでは２本）の面木１，１をねじ４により取り付けて（図３（ａ），（ｂ）参照）、面木設置工程を完了する。各面木保持部材２は、細長い板状で、かつ、木（プラスチック又は金属等でもよい）で構成され、また、各面木１も、細長い板状で、かつ、木（プラスチック又は金属等でもよい）で構成されている。また、各面木保持部材２は、未はつりエリアＥの表面に取り付けた取付状態ではつりエリアＤ内の方を向いた内面２Ａを備えており、この内面２Ａに面木１が取り付けられる。このように面木保持部材２の内面２Ａを備えているので、モルタルの吹き付け完了時のガイドとして内面２Ａを利用することができ、モルタルの吹き付け作業を良好に行うことができる。つまり、面木保持部材２の内面２Ａにモルタルが当接するようにモルタルを吹き付けるのである。
【００２１】
（４）第二打設工程は、コンクリートのはつりエリアＤ内に面木１が没するように第一モルタルＭ１の上から第二モルタルＭ２を吹き付ける吹き付け工程である（図４（ａ），（ｂ）参照）。この吹き付け工程は、面木保持部材２，２，２間の隙間や面木１，１間の隙間を通して第二モルタルＭ２を吹き付けることになる。第二モルタルＭ２は、前述した第一モルタルＭ１と同様の構成である。この吹き付け工程で吹き付けた第二モルタルＭ２の未はつりエリアＥの表面と面一となる天端面に電極を設置する電極設置用の凹部５（図６（ａ），（ｂ）参照）が形成されるように、面木１が面木保持部材２に保持されている。従って、吹き付け工程で吹き付けた第二モルタルＭ２の未はつりエリアＥの表面と面一となる天端面に電極を設置する凹部５，５が形成されるように、面木１が面木保持部材２に保持されているので、面木保持部材２を未はつりエリアＥの表面（ここでは、上側の表面Ｅ１と下側の表面Ｅ１）に取り付けるだけで、第二モルタルＭ２の未はつりエリアＥの表面と面一となる天端面に電極（図示せず）を設置する凹部５，５（図６（ａ），（ｂ）参照）が形成されるので、面木１の位置合わせが不要になり、作業が迅速に行える。尚、第二モルタルＭ２を吹き付ける際に、図３に示す面木１の内面１Ａと、第一モルタルＭ１の表面との間の隙間が小さい場合には（図３では隙間が大きく問題ない状態）、第二モルタルＭ２が隙間に上手く充填されないことがあるため、鏝等を用いて隙間を確保しておくことが望ましい。
【００２２】
第二モルタルＭ２を吹き付けた後は、コンクリートねじ３…及びねじ４…を緩めて面木保持部材２，２，２を取り外す。図５（ａ），（ｂ）に面木保持部材２，２，２を取り外した状態を示している。この後、面木１，１の外面１Ｂ，１Ｂをガイドとしてスコップ等を用いて余分な第二モルタルＭ２をそぎ落として第二モルタルＭ２の表面Ｍ２Ａを粗成形する。成形後は、鏝等を用いて粗くなった表面を綺麗に仕上げて第二打設工程を終了する。
【００２３】
（５）面木取り外し工程は、面木１，１を取り外す工程である。第二モルタルＭ２が硬化した後、第二モルタルＭ２から面木１，１を引き剥がすようにして取り外す工程である。第二モルタルＭ２から面木１，１を取り外すには、例えばバール、ドライバー、皮剥き（カワスキ）等が用いられる。このように面木１，１を取り外すことで、面木１，１の外形形状に応じた凹部５，５が形成される（図６（ａ），（ｂ）参照）。具体的には、断面形状が角型で横に延びる横長状の凹部が上下方向に２つ形成される。
【００２４】
（６）電極設置工程は、２つの凹部５，５のそれぞれに、板状の電極（図示せず）を設置する工程である。具体的には、各凹部５の底に、第三モルタル（図示せず）を敷く。この場合の第三モルタルは、接着性の高いものが好ましく、例えば、商品名：エルガードモルタルが用いられる。第三モルタルを敷いた後に、板状の電極を第三モルタルに当接させながら凹部５の長手方向に沿って配置する。第三モルタルが硬化すると、第四モルタルを凹部５に充填して表面仕上げし、凹部５を覆った状態にする。この第四モルタルも、第三モルタルと同じモルタルを用いることになる。尚、電極と鉄筋とは、電線等により接続されるとともに電力供給部からの電力により通電される。
【００２５】
尚、本発明は、上記実施形態に限定されるものではなく、本発明の要旨を逸脱しない範囲で種々の変更が可能である。
【００２６】
例えば、面木及び面木保持部材を、次のように構成してもよい。図７（ａ）に示すように、２本の面木保持部材２０，２０をはつりエリアＤの周囲の未はつりエリアＥの表面（図７（ａ）では、上側の表面Ｅ１）にコンクリートねじ３０を用いて取り付けて、面木１０，１０を面木保持部材２０，２０で吊下げ支持している。また、図７（ｂ）に示すように、２本の面木保持部材２０，２０をはつりエリアＤの周囲の未はつりエリアＥの表面（図７（ｂ）では、下側の表面Ｅ１）にコンクリートねじ３０を用いて取り付けて、立設させた面木保持部材２０，２０に面木１０，１０を支持させている。また、図７（ｃ）に示すように、面木１０，１０の両端に面木保持部材２０，２０を接着剤又はねじ等により連結し、その面木保持部材２０，２０の遊端部を、はつりエリアＤの周囲の未はつりエリアＥの表面（図７（ｃ）では、左右の表面Ｅ２，Ｅ２）にコンクリートねじ３０を用いて取り付けて、面木１０，１０を左右の表面Ｅ２，Ｅ２に固定した面木保持部材２０，２０で支持している。また、図７（ｄ）に示すように、２本の面木保持部材２０，２０を、はつりエリアＤの周囲の未はつりエリアＥの表面（図７（ａ）では、上側の表面Ｅ１と下側の表面Ｅ１）に斜め姿勢の状態でコンクリートねじ３０を用いて取り付けて、傾斜姿勢に固定された面木保持部材２０，２０で面木１０，１０を支持している。
【００２７】
上記実施形態では、鉄筋Ｒを覆うように、はつり面Ｈに対し、第一モルタルを吹き付ける第一打設工程を備えたが、第一打設工程を省略して実施してもよい。この場合、面木１を保持する複数（ここでは３本）の面木保持部材２をはつりエリアＤの周囲の未はつりエリアＥの表面にコンクリートねじ（ねじ以外の固定部材でもよい）３を用いて取り付ける面木設置工程を行ってから、コンクリートのはつりエリアＤ内に面木１０が没するようにモルタルを一挙に吹き付ける吹き付け工程を行うことになる。
【００２８】
また、上記実施形態では、面木保持部材２を未はつりエリアＥの表面に取り付け、取り付けられた面木保持部材２に面木１を取り付けるようにしたが、面木保持部材２に面木１を先に取り付け、面木１が取り付けられた面木保持部材２を未はつりエリアＥの表面に取り付けるようにしてもよい。
【００２９】
また、上記実施形態では、面木保持部材２を面木１とは別部材から構成したが、例えば合成樹脂等により面木保持部材２と面木１とが一体成形して構成してもよい。
【００３０】
また、上記実施形態では、はつりエリアＤを矩形状に形成したが、三角形状、多角形状、円形状、小判状等、どのような形状に形成してもよい。
【００３１】
また、上記実施形態では、壁を構成する鉄筋コンクリート構造物の表面コンクリート部をはつって断面修復を行う場合を示したが、床や梁などの鉄筋コンクリート構造物の表面コンクリート部をはつって断面修復を行うようにしてもよい。図８（ａ），（ｂ）では、天井壁４０の下面から下方に張り出した梁部４１における底壁部４２の表面コンクリート部をはつって断面修復を行う場合を示している。尚、梁部としては、高速道路の梁部や橋の梁部等であってもよい。まず、底壁部４２の内部の多数の鉄筋Ｒが露出するまで表面コンクリート部を下方からはつることで、凹凸状のはつり面Ｈ１を形成する（はつり工程）。続いて、露出した鉄筋Ｒを覆うようにはつり面Ｈ１に対し、第一モルタルＭ１を吹き付ける（第一打設工程）。第一モルタルＭ１を吹き付けた後に、面木５０，５０を保持する面木保持部材６０をはつりエリアＤの周囲の未はつりエリアＥの表面（ここでは、底壁部４２の上方部分の一対の側壁部４３，４３の表面）にコンクリートねじ３を用いて取り付ける（図８（ａ）参照）。面木保持部材６０は、面木５０の長さ方向に所定間隔を置いて複数（図８（ｂ）では３個）設けられ、各面木保持部材６０は、一対の側壁部４３，４３の表面に取り付けられる一対の第１保持部材６０Ａ，６０Ａと、これら第１保持部材６０Ａ，６０Ａの下端部にねじ４，４を介して連結して補強部材として用いるとともに上面（はつり面Ｈ１側の内面）６０ｂに面木５０，５０がねじ（図示せず）により取り付けられる第２保持部材６０Ｂと、を備えている。この後、３つの面木保持部材６０，６０，６０に水平方向で亘る長さの複数（ここでは２本）の面木５０，５０をねじ（図示せず）により取り付けて、面木設置工程を完了する。面木設置後に、コンクリートのはつりエリアＤ内に面木１が没するように第一モルタルＭ１の上から第二モルタルＭ２を吹き付ける。このとき、第２保持部材６０Ｂ，６０Ｂ間の隙間や面木５０，５０間の隙間を通して第二モルタルＭ２を吹き付け、第二モルタルＭ２が第２保持部材６０Ｂの上面６０ｂに接触することにより吹き付けが完了する。第二モルタルＭ２を吹き付けた後は、コンクリートねじ３…及び面木５０，５０を取り付けたねじ（図示せず）を緩めて面木保持部材６０，６０，６０を取り外す。この後、面木５０，５０の外面をガイドとしてスコップ等を用いて余分な第二モルタルＭ２をそぎ落として第二モルタルＭ２の表面Ｍ２Ａを粗成形する。成形後は、鏝等を用いて粗くなった表面を綺麗に仕上げて前記第二打設工程を終了する。第二モルタルＭ２が硬化した後、第二モルタルＭ２から面木５０，５０を引き剥がすようにして取り外す（面木取り外し工程）。面木５０，５０を取り外すことにより未はつりエリアの表面と面一となる天端面に形成される２つの凹部（図示せず）のそれぞれに、板状の電極（図示せず）を設置して（電極設置工程）、作業が終了する。
【００３２】
また、図８（ａ）では、梁部４１における底壁部４２の表面コンクリート部のみをはつった場合を示したが、図９（ａ），（ｂ）に示すように、梁部４１における底壁部４２の表面コンクリート部だけでなく、一対の側壁部４３，４３の一部の表面コンクリート部もはつった場合を示している。はつった部分が略Ｕの字状になっており、そのはつり面Ｈ２が凹凸状の面になっている。まず、梁部４１の内部の鉄筋、ここでは多数本の主筋Ｒ１と該主筋Ｒ１を取り囲むように配置される帯筋（フープ筋とも言う）Ｒ２とが露出するまで表面コンクリート部をはつることで、はつり面Ｈ２を形成する（はつり工程）。尚、梁部４１の内部の腐食が全体に及んでいる場合には、梁部４１の全域をはつることになる。次に、面木７０を保持する面木保持部材８０を構成する第２保持部材８０Ｂ及び第２保持部材８０Ｂの両端部のそれぞれからはつり面Ｈ２に当接するように斜めに配置されて吹き付けられるモルタルを受け止める成形板４４，４４を主筋Ｒ１や帯筋Ｒ２に支持させる。この後、露出した主筋Ｒ１及び帯筋Ｒ２を覆うように両側壁部に対応するはつり面Ｈ２に対し、第一モルタルＭ１を両横側からそれぞれ吹き付ける（第一打設工程）。両横側からそれぞれ第一モルタルＭ１を吹き付けた後は、面木７０を保持する面木保持部材８０の第１保持部材８０Ａ，８０ＡをはつりエリアＤの周囲の未はつりエリアＥの表面（ここでは、一対の側壁部４３，４３の上方部分の表面であるが、天井壁４０の下面でもよい）にコンクリートねじ３を用いて取り付ける（図９（ａ）参照）。各面木保持部材８０は、先に取り付けられる第２保持部材８０Ｂと、一対の側壁部４３，４３の表面に取り付けられるとともに内面（はつり面Ｈ２側の面）８０ａに面木７０，７０がねじ（図示せず）により取り付けられる第１保持部材８０Ａ，８０Ａと、を備えている。取り付けられた第１保持部材８０Ａ，８０Ａの下端に第２保持部材８０Ｂの両端がねじ４，４により連結される。尚、成形板４４，４４は、下端の内側面に配置された保持板４５により斜め姿勢に保持される。また、成形板４４，４４の下端の外側面に配置された面木４６により吹き付けられる第２モルタルＭ２に隅取面７，７（図１０（ａ）参照）が形成される。面木保持部材８０は、面木５０の長さ方向に所定間隔を置いて複数（図示せず）設けられ、この後、複数の面木保持部材８０に水平方向で亘る長さの複数（ここでは２本）の面木７０，７０をねじ（図示せず）により取り付けて、面木設置工程を完了する。面木設置後に、コンクリートのはつりエリアＤ内に面木７０，７０が没するように第一モルタルＭ１の上から第二モルタルＭ２を吹き付ける（図９（ｂ）参照）。このとき、第１保持部材８０Ａ，８０Ａ間の隙間や面木７０，７０間の隙間を通して第二モルタルＭ２を吹き付け、第二モルタルＭ２が第１保持部材８０Ａ，８０Ａの内面８０ａ，８０ａに接触することにより吹き付けが完了する。第二モルタルＭ２を吹き付けた後は、コンクリートねじ３…及び面木７０，７０を取り付けたねじ（図示せず）を緩めて面木保持部材８０を取り外す。この後、面木７０，７０の外面をガイドとしてスコップ等を用いて余分な第二モルタルＭ２をそぎ落として第二モルタルＭ２の表面Ｍ２Ａを粗成形する。成形後は、鏝等を用いて粗くなった表面を綺麗に仕上げて前記第二打設工程を終了する。第二モルタルＭ２が硬化した後、各第二モルタルＭ２から面木７０，７０を引き剥がすようにして取り外す（面木取り外し工程）。面木７０，７０を取り外すことにより未はつりエリアの表面と面一となる天端面に形成される２つの凹部６，６（図１０（ａ）参照）のそれぞれに、板状の電極（図示せず）を設置する（電極設置工程）。はつりエリアの一部である一対の側壁部４３，４３の断面修復が完了した後は、未修復の他（残り）のはつりエリアである底壁部４２の断面修復を行うことになる。まず、図１０（ｂ）に示すように、露出した鉄筋Ｒ１，Ｒ２を覆うように底壁部に対応するはつり面Ｈ２に対し、第一モルタルＭ１を下方から吹き付ける（第一打設工程）。次に、断面修復された一対の側壁部４３，４３の仕上げ面（外面、未はつりエリアの表面と面一とされた面）のうちの下方側の外面に、面木９０，９０（図１１（ａ）参照）を保持する面木保持部材１００をコンクリートねじ３を用いて取り付ける（図１０（ｂ）参照）。面木保持部材１００は、面木９０の長さ方向に所定間隔を置いて複数設けられ、各面木保持部材１００は、一対の側壁部４３，４３の表面に取り付けられる一対の第１保持部材１００Ａ，１００Ａと、これら第１保持部材１００Ａ，１００Ａの下端部にねじ４，４を介して連結して補強部材として用いるとともに上面（底壁部のはつり面Ｈ２側の内面）１００ｂに後述の面木９０，９０がねじ（図示せず）により取り付けられる第２保持部材１００Ｂと、を備えている。このように設置された複数の面木保持部材１００に水平方向で亘る長さの複数（ここでは２本）の面木９０，９０をねじ（図示せず）により取り付けて、面木設置工程を完了する（図１１（ａ）参照）。これによって、面木９０，９０を未修復の他のはつりエリアである底壁部に対応するはつりエリアＤ内に設置することができる。続いて、コンクリートの底壁部に対応するはつりエリアＤ内に面木９０，９０が没するように第一モルタルＭ１の上から第二モルタルＭ２を吹き付ける。第２保持部材１００Ｂ，１００Ｂ間の隙間や面木９０，９０間の隙間を通して第二モルタルＭ２を吹き付け、第二モルタルＭ２が第２保持部材１００Ｂの上（内）面１００ｂに接触することにより吹き付けが完了する。第二モルタルＭ２を吹き付けた後は、コンクリートねじ３…及び面木９０，９０を取り付けたねじ（図示せず）を緩めて面木保持部材１００を取り外す。この後、面木９０，９０の外面をガイドとしてスコップ等を用いて余分な第二モルタルＭ２をそぎ落として第二モルタルＭ２の表面Ｍ２Ａを粗成形する。成形後は、鏝等を用いて粗くなった表面を綺麗に仕上げて前記第二打設工程を終了する。第二モルタルＭ２が硬化した後、第二モルタルＭ２から面木９０，９０を引き剥がすようにして取り外す（面木取り外し工程）。面木９０，９０を取り外すことにより未はつりエリアの表面と面一となる天端面に形成される２つの凹部８，８（図１１（ｂ）参照）のそれぞれに、板状の電極（図示せず）を設置して（電極設置工程）、作業が終了する。尚、図８（ａ），（ｂ）〜図１１（ａ），（ｂ）において詳細に説明しなかった部分は、図１〜図６で説明した部分と同様である。また、図８（ａ），（ｂ）〜図１１（ａ），（ｂ）では、モルタルの吹き付けを二回に分けて行ったが、一回の吹き付けでモルタルの吹き付けが完了するようにしてもよい。
【符号の説明】
【００３３】
１…面木、１Ａ…内面、１Ｂ…外面、２…面木保持部材、３…コンクリートねじ、４…ねじ、５，６，８…凹部、７…隅取面、１０，５０，７０，９０…面木、２０，６０，８０，１００…面木保持部材、３０…コンクリートねじ、４０…天井壁、４１…梁部、４２…底壁部、４３…側壁部、４４…成形板、４５…保持板、４６…面木、６０Ａ，８０Ａ，１００Ａ…第１面木保持部材、６０Ｂ，８０Ｂ，１００Ｂ…第２面木保持部材、６０ｂ，８０ａ…内面、１００ｂ…上面、Ａ…鉄筋コンクリート構造物、Ｃ…表面コンクリート部、Ｄ…はつりエリア、Ｅ…未はつりエリア、Ｅ１…上側（下側）の表面、Ｅ２…左側（右側）の表面、Ｈ，Ｈ１，Ｈ２…はつり面、Ｍ１…第一モルタル、Ｍ２…第二モルタル、Ｍ２Ａ…第二モルタルの表面、Ｒ…鉄筋、Ｒ１…主筋、Ｒ２…帯筋
【図１】
2018123352.tif 000003
【図２】
2018123352.tif 000004
【図３】
2018123352.tif 000005
【図４】
2018123352.tif 000006
【図５】
2018123352.tif 000007
【図６】
2018123352.tif 000008
【図７】
2018123352.tif 000009
【図８】
2018123352.tif 000010
【図９】
2018123352.tif 000011
【図１０】
2018123352.tif 000012
【図１１】
2018123352.tif 000013
【手続補正書】
【提出日】平成29年8月18日(2017.8.18)
【手続補正１】
【補正対象書類名】特許請求の範囲
【補正対象項目名】請求項１
【補正方法】変更
【補正の内容】
【請求項１】
コンクリートをはつるはつり工程と、電気防食用電極の設置のための凹部を形成する面木を保持する面木保持部材を、はつりエリアの周囲の未はつりエリアの表面に取り付けることで面木をはつりエリア内に設置するか、又ははつりエリアの一部が修復されて未はつりエリアの表面と面一とされた仕上げ面に取り付けることで、面木を未修復のはつりエリア内に設置する面木設置工程と、前記はつりエリア内又は未修復のはつりエリア内に面木が没するようにモルタルを吹き付ける吹き付け工程と、硬化後のモルタルから面木を取り外すことでモルタルに形成される凹部に電気防食用電極を設置する設置工程とを備え、
前記面木設置工程は、前記吹き付け工程においてはつりエリアにモルタルの吹き付けを可能とするように、はつりエリアの一部を前記面木保持部材で覆う工程を含み、
前記面木は、予め前記面木保持部材に保持させているか、前記面木設置工程において前記面木保持部材に保持させることを特徴とする電気防食用電極の設置方法。
【手続補正２】
【補正対象書類名】明細書
【補正対象項目名】０００７
【補正方法】変更
【補正の内容】
【０００７】
本発明の電気防食用電極の設置方法は、前述の課題解決のために、コンクリートをはつるはつり工程と、電気防食用電極の設置のための凹部を形成する面木を保持する面木保持部材を、はつりエリアの周囲の未はつりエリアの表面に取り付けることで面木をはつりエリア内に設置するか、又ははつりエリアの一部が修復されて未はつりエリアの表面と面一とされた仕上げ面に取り付けることで、面木を未修復のはつりエリア内に設置する面木設置工程と、前記はつりエリア内又は未修復のはつりエリア内に面木が没するようにモルタルを吹き付ける吹き付け工程と、硬化後のモルタルから面木を取り外すことでモルタルに形成される凹部に電気防食用電極を設置する設置工程とを備え、前記面木設置工程は、前記吹き付け工程においてはつりエリアにモルタルの吹き付けを可能とするように、はつりエリアの一部を前記面木保持部材で覆う工程を含み、前記面木は、予め前記面木保持部材に保持させているか、前記面木設置工程において前記面木保持部材に保持させることを特徴とする。